(57)【要約】【課題】接続先の無線基地局が、移動局ＵＥに係る「ＵＥ  Ｃｏｎｔｅｘｔ」を管理していない場合であっても、再接続手順を成功させる。【解決手段】本発明に係る移動通信方法は、再接続手順において、無線基地局ｅＮＢ＃２が、かかる「ＲＲＣＲｅｅｓｔａｂｌｉｓｈｍｅｎｔＲｅｑｕｅｓｔ」に応じて、移動局ＵＥのコンテキスト情報を管理していない場合、無線基地局ｅＮＢ＃１に対して、移動局ＵＥのコンテキスト情報を取得するためである旨を示す「ＲＬＦ  ｉｎｄｉｃａｔｉｏｎ  ｃａｕｓｅ」を含む「Ｘ２  ＲＬＦ  ｉｎｄｉｃａｔｉｏｎ」を送信する工程と、かかる再接続手順において、無線基地局ｅＮＢ＃１が、かかる「Ｘ２  ＲＬＦ  ｉｎｄｉｃａｔｉｏｎ」に応じて、無線基地局ｅＮＢ＃２に対して、移動局ＵＥのコンテキスト情報を送信する工程とを有する。【選択図】図３
2015089002.tif 000002
【特許請求の範囲】
【請求項１】
移動局が、第１無線基地局配下の第１セルにおいて無線リンク障害を検出すると、セル選択処理によって選択された第２セルを管理する第２無線基地局に対する再接続手順を開始する工程と、
前記再接続手順において、前記移動局が、前記第２無線基地局に対して、再接続要求信号を送信する工程と、
前記再接続手順において、前記第２無線基地局が、前記再接続要求信号に応じて、前記移動局のコンテキスト情報を管理していない場合、前記第１無線基地局に対して、該移動局のコンテキスト情報を取得するためである旨を示す理由情報を含む無線リンク障害指示信号を送信する工程と、
前記再接続手順において、前記第１無線基地局が、前記無線リンク障害指示信号に応じて、前記第２無線基地局に対して、前記移動局のコンテキスト情報を送信する工程とを有することを特徴とする移動通信方法。
【請求項２】
移動局が、第１無線基地局配下の第１セルにおいて無線リンク障害を検出すると、セル選択処理によって選択された第２セルを管理する第２無線基地局に対する再接続手順を開始した場合に、該第２無線基地局として動作する無線基地局であって、
前記再接続手順において、前記移動局からの前記再接続要求信号に応じて、該移動局のコンテキスト情報を管理していない場合、前記第１無線基地局に対して、該移動局のコンテキスト情報を取得するためである旨を示す理由情報を含む無線リンク障害指示信号を送信するように構成されている送信部を具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式において、接続先の無線基地局が、移動局ＵＥに係る「ＵＥ  Ｃｏｎｔｅｘｔ」を管理していない場合であっても、再接続手順を成功させるための技術が知られている（例えば、特許文献１や非特許文献１参照）。
【先行技術文献】
【特許文献】
【０００３】
【特許文献１】特開２０１３-１２９１８号公報
【非特許文献】
【０００４】
【非特許文献１】３ＧＰＰ  ＴＳ３６.３００
【発明の概要】
【発明が解決しようとする課題】
【０００５】
しかしながら、上述の技術で用いられている「Ｘ２  ＲＬＦ  ｉｎｄｉｃａｔｉｏｎ（特許文献１では「Ｘ２  ＲＬＦ  ｒｅｐｏｒｔ」と記載されている）」は、ＬＴＥ方式の標準仕様では、再接続先無線基地局Ｔ-ｅＮＢが、再接続元無線基地局Ｓ-ｅＮＢに対してＲＬＦ（Ｒａｄｉｏ  Ｌｉｎｋ  Ｆａｉｌｕｒｅ）を発見したことを報告し、ハンドオーバ用パラメータを最適化するＭＲＯ（Ｍｏｂｉｌｉｔｙ  Ｒｏｂｕｓｔｎｅｓｓ  Ｏｐｔｉｍｉｓａｔｉｏｎ）等のＳＯＮ（Ｓｅｌｆ  Ｏｐｔｉｍｉｓａｔｉｏｎ  Ｎｅｔｗｏｒｋ）のために用いられるものと規定されている。
【０００６】
したがって、無線基地局ｅＮＢが、上述の規定通りに構成されている場合、「Ｘ２  ＲＬＦ  ｉｎｄｉｃａｔｉｏｎ」を受信した場合に、上述の技術を実現すべきであるのか、或いは、ＳＯＮのために用いるべきであるかについて判断することができないという問題点があった。
【０００７】
そこで、本発明は、上述の課題に鑑みてなされたものであり、再接続先の無線基地局が、移動局ＵＥに係る「ＵＥ  Ｃｏｎｔｅｘｔ」を管理していない場合であっても、再接続手順を成功させることができる移動通信方法及び無線基地局を提供することを目的とする。
【課題を解決するための手段】
【０００８】
本発明の第１の特徴は、移動通信方法であって、移動局が、第１無線基地局配下の第１セルにおいて無線リンク障害を検出すると、セル選択処理によって選択された第２セルを管理する第２無線基地局に対する再接続手順を開始する工程と、前記再接続手順において、前記移動局が、前記第２無線基地局に対して、再接続要求信号を送信する工程と、前記再接続手順において、前記第２無線基地局が、前記再接続要求信号に応じて、前記移動局のコンテキスト情報を管理していない場合、前記第１無線基地局に対して、該移動局のコンテキスト情報を取得するためである旨を示す理由情報を含む無線リンク障害指示信号を送信する工程と、前記再接続手順において、前記第１無線基地局が、前記無線リンク障害指示信号に応じて、前記第２無線基地局に対して、前記移動局のコンテキスト情報を送信する工程とを有することを要旨とする。
【０００９】
本発明の第２の特徴は、移動局が、第１無線基地局配下の第１セルにおいて無線リンク障害を検出すると、セル選択処理によって選択された第２セルを管理する第２無線基地局に対する再接続手順を開始した場合に、該第２無線基地局として動作する無線基地局であって、前記再接続手順において、前記移動局からの前記再接続要求信号に応じて、該移動局のコンテキスト情報を管理していない場合、前記第１無線基地局に対して、該移動局のコンテキスト情報を取得するためである旨を示す理由情報を含む無線リンク障害指示信号を送信するように構成されている送信部を具備することを要旨とする。
【発明の効果】
【００１０】
以上説明したように、本発明によれば、接続先の無線基地局が、移動局ＵＥに係る「ＵＥ  Ｃｏｎｔｅｘｔ」を管理していない場合であっても、再接続手順を成功させることができる移動通信方法及び無線基地局を提供することができる。
【図面の簡単な説明】
【００１１】
【図１】本発明の第１の実施形態に係る移動通信システムの全体構成図である。
【図２】本発明の第１の実施形態に係る無線基地局ｅＮＢ＃２の機能ブロック図である。
【図３】本発明の第１の実施形態に係る無線基地局ｅＮＢ＃２によって送信される「Ｘ２  ＲＬＦ  ｉｎｄｉｃａｔｉｏｎ」のフォーマットの一例を示す図である。
【図４】本発明の第１の実施形態に係る移動通信システムの動作を説明するためのシーケンス図である。
【発明を実施するための形態】
【００１２】
（本発明の第１の実施形態に係る移動通信システム）
図１乃至図４を参照して、本発明の第１の実施形態に係る移動通信システムについて説明する。
【００１３】
本実施形態に係る移動通信システムは、ＬＴＥ方式（或いは、ＬＴＥ-Ａｄｖａｎｃｅｄ方式）の移動通信システムであって、図１に示すように、移動管理ノードＭＭＥ（Ｍｏｂｉｌｉｔｙ  Ｍａｎａｇｅｍｅｎｔ  Ｅｎｔｉｔｙ）と、セル＃１を管理する無線基地局ｅＮＢ＃１と、セル＃２を管理する無線基地局ｅＮＢ＃２とを具備している。
【００１４】
本実施形態では、移動局ＵＥが、無線基地局ｅＮＢ＃１配下のセル＃１においてＲＬＦを検出すると、セル選択処理によって選択されたセル＃２を管理する無線基地局ｅＮＢ＃２に対する再接続手順を開始するケースを例に挙げて説明する。
【００１５】
図２に示すように、本実施形態に係る無線基地局ｅＮＢ＃２は、管理部１１と、受信部１２と、送信部１３とを具備している。
【００１６】
管理部１１は、各移動局ＵＥに係る「ＵＥ  Ｃｏｎｔｅｘｔ」を管理するように構成されている。
【００１７】
具体的には、管理部１１は、周辺の無線基地局ｅＮＢによって行われる「ＨＯ  Ｐｒｅｐａｒａｔｉｏｎ処理」において転送された移動局ＵＥに係る「ＵＥ  Ｃｏｎｔｅｘｔ」を管理するように構成されている。
【００１８】
受信部１２は、移動局ＵＥから各種信号を受信するように構成されており、送信部１３は、移動局ＵＥに対して各種信号を送信するように構成されている。
【００１９】
上述の再接続手順において、移動局ＵＥからの「ＲＲＣＲｅｅｓｔａｂｌｉｓｈｍｅｎｔＲｅｑｕｅｓｔ」に応じて、管理部１１が、移動局ＵＥのコンテキスト情報を管理していない場合、送信部１３は、無線基地局ｅＮＢ＃１に対して、移動局ＵＥのコンテキスト情報を取得するためである旨を示す「ＲＬＦ  ｉｎｄｉｃａｔｉｏｎ  ｃａｕｓｅ」を含む「Ｘ２  ＲＬＦ  ｉｎｄｉｃａｔｉｏｎ」を送信するように構成されている。
【００２０】
図３に、かかる「Ｘ２  ＲＬＦ  ｉｎｄｉｃａｔｉｏｎ」のフォーマットの一例を示す。
【００２１】
ここで、「ＲＬＦ  ｉｎｄｉｃａｔｉｏｎ  ｃａｕｓｅ」に「ｃｏｎｔｅｘｔ  ｆｅｔｃｈ」が設定されている場合、「ＲＬＦ  ｉｎｄｉｃａｔｉｏｎ  ｃａｕｓｅ」は、移動局ＵＥのコンテキスト情報を取得するためである旨を示し、「ＲＬＦ  ｉｎｄｉｃａｔｉｏｎ  ｃａｕｓｅ」に「ＭｏｂｉｌｉｔｙＲｏｂｕｓｔｎｅｓｓ」が設定されている場合、「ＲＬＦ  ｉｎｄｉｃａｔｉｏｎ  ｃａｕｓｅ」は、ＳＯＮのために用いるべきである旨を示す。
【００２２】
なお、受信部１２は、無線基地局ｅＮＢ＃１から、移動局ＵＥに係る「ＵＥ  Ｃｏｎｔｅｘｔ」を取得するように構成されている。
【００２３】
以下、図４を参照して、本実施形態に係る移動通信システムの具体的な動作の一例について説明する。
【００２４】
図４に示すように、移動局ＵＥが、ステップＳ１００１において、無線基地局ｅＮＢ＃１配下のセル＃１においてＲＬＦを検出すると、ステップＳ１００２において、セル選択処理によって選択されたセル＃２を管理する無線基地局ｅＮＢ＃２に対して、「ｓｏｕｒｃｅ  ＰＣＩ」と「ｓｏｕｒｃｅ  Ｃ-ＲＮＴＩ」と「ｓｈｏｒｔ  ＭＡＣ-Ｉ」とを含む「ＲＲＣＣｏｎｎｅｃｔｉｏｎＲｅｅｓｔａｂｌｉｓｈｍｅｎｔＲｅｑｕｅｓｔ」を送信する。
【００２５】
ステップＳ１００３において、無線基地局ｅＮＢ＃２は、無線基地局ｅＮＢ＃１に対して、「ｓｏｕｒｃｅ  ＰＣＩ」と「ｓｏｕｒｃｅ  Ｃ-ＲＮＴＩ」と「ｓｈｏｒｔ  ＭＡＣ-Ｉ」とを含む「Ｘ２  ＲＬＦ  Ｉｎｄｉｃａｔｉｏｎ」を送信する。
【００２６】
ステップＳ１００４において、無線基地局ｅＮＢ＃１は、「Ｘ２  ＲＬＦ  Ｉｎｄｉｃａｔｉｏｎ」内の「ＲＬＦ  ｉｎｄｉｃａｔｉｏｎ  ｃａｕｓｅ」に「ｃｏｎｔｅｘｔ  ｆｅｔｃｈ」が設定されている場合、移動局ＵＥに係る「ＵＥ  Ｃｏｎｔｅｘｔ」の「ｍａｔｃｈｉｎｇ処理」及び「ｖｅｒｉｆｉｃａｔｉｏｎ処理」を行う。
【００２７】
ここで、無線基地局ｅＮＢ＃１は、移動局ＵＥに係る「ＵＥ  Ｃｏｎｔｅｘｔ」の「ｍａｔｃｈｉｎｇ処理」及び「ｖｅｒｉｆｉｃａｔｉｏｎ処理」に成功した場合にのみ、すなわち、移動局ＵＥに係る「ＵＥ  Ｃｏｎｔｅｘｔ」を管理している場合にのみ、ステップＳ１００５において、無線基地局ｅＮＢ＃２に対して、セキュリティパラメータを含む「Ｘ２  ＨＯ  ｐｒｅｐａｒａｔｉｏｎ」を送信する。
【００２８】
ステップＳ１００６において、無線基地局ｅＮＢ＃２は、無線基地局ｅＮＢ＃１に対して、「Ｘ２  ＨＯ  ｐｒｅｐａｒａｔｉｏｎ  ａｃｋ」を送信する。
【００２９】
ステップＳ１００７において、無線基地局ｅＮＢ＃２は、移動局ＵＥに対して、「ＲＲＣＣｏｎｎｅｃｔｉｏｎＲｅｅｓｔａｂｌｉｓｈｍｅｎｔ」を送信し、ステップＳ１００８において、移動局ＵＥは、無線基地局ｅＮＢ＃２に対して、「ＲＲＣＣｏｎｎｅｃｔｉｏｎＲｅｅｓｔａｂｌｉｓｈｍｅｎｔＣｏｍｐｌｅｔｅ」を送信する。
【００３０】
ステップＳ１００９において、無線基地局ｅＮＢ＃２は、移動管理ノードＭＭＥに対して、「Ｓ１  ｐａｔｈ  ｓｗｉｔｃｈ  ｒｅｑｕｅｓｔ」を送信し、ステップＳ１０１０において、移動管理ノードＭＭＥは、無線基地局ｅＮＢ＃２に対して、「Ｓ１  ｐａｔｈ  ｓｗｉｔｃｈ  ｃｏｍｐｌｅｔｅ」を送信する。
【００３１】
ステップＳ１０１１において、無線基地局ｅＮＢ＃２は、無線基地局ｅＮＢ＃１に対して、「Ｘ２  ＵＥ  ｃｏｎｔｅｘｔ  ｒｅｌｅａｓｅ」を送信する。
【００３２】
ステップＳ１０１２において、無線基地局ｅＮＢ＃２は、移動局ＵＥに対して、ＳＲＢ２やＤＲＢ等を設定する「ＲＲＣＣｏｎｎｅｃｔｉｏｎＲｅｃｏｎｆｉｇｕｒａｔｉｏｎ」を送信し、ステップＳ１０１３において、移動局ＵＥは、無線基地局ｅＮＢ＃２に対して、「ＲＲＣＣｏｎｎｅｃｔｉｏｎＲｅｃｏｎｆｉｇｕｒａｔｉｏｎＣｏｍｐｌｅｔｅ」を送信する。
【００３３】
その結果、移動局ＵＥと無線基地局ｅＮＢ＃２（セル＃２）との間でＲＲＣコネクションが確立する。
【００３４】
本実施形態に係る移動通信システムによれば、上述の再接続手順において、無線基地局ｅＮＢ＃２が、無線基地局ｅＮＢ＃１に対して、「ＲＬＦ  ｉｎｄｉｃａｔｉｏｎ  ｃａｕｓｅ」に「ｃｏｎｔｅｘｔ  ｆｅｔｃｈ」を設定した「Ｘ２  ＲＬＦ  Ｉｎｄｉｃａｔｉｏｎ」を送信することによって、無線基地局ｅＮＢ＃１から、移動局ＵＥに係る「ＵＥ  Ｃｏｎｔｅｘｔ」を取得することができるため、無線基地局ｅＮＢ＃２において予め移動局ＵＥに係る「ＵＥ  Ｃｏｎｔｅｘｔ」が管理されていない場合であっても、上述の再接続手順を成功させることができる。
【００３５】
以上に述べた本実施形態の特徴は、以下のように表現されていてもよい。
【００３６】
本実施形態の第１の特徴は、移動通信方法であって、移動局ＵＥが、無線基地局ｅＮＢ＃１（第１無線基地局）配下のセル＃１（第１セル）においてＲＬＦ（無線リンク障害）を検出すると、セル選択処理によって選択されたセル＃２（第２セル）を管理する無線基地局ｅＮＢ＃２（第２無線基地局）に対する再接続手順を開始する工程と、かかる再接続手順において、移動局ＵＥが、無線基地局ｅＮＢ＃２に対して、「ＲＲＣＲｅｅｓｔａｂｌｉｓｈｍｅｎｔＲｅｑｕｅｓｔ（再接続要求信号）」を送信する工程と、かかる再接続手順において、無線基地局ｅＮＢ＃２が、かかる「ＲＲＣＲｅｅｓｔａｂｌｉｓｈｍｅｎｔＲｅｑｕｅｓｔ」に応じて、移動局ＵＥのコンテキスト情報を管理していない場合、無線基地局ｅＮＢ＃１に対して、移動局ＵＥのコンテキスト情報を取得するためである旨を示す「ＲＬＦ  ｉｎｄｉｃａｔｉｏｎ  ｃａｕｓｅ（理由情報）」を含む「Ｘ２  ＲＬＦ  ｉｎｄｉｃａｔｉｏｎ（無線リンク障害指示信号）」を送信する工程と、かかる再接続手順において、無線基地局ｅＮＢ＃１が、かかる「Ｘ２  ＲＬＦ  ｉｎｄｉｃａｔｉｏｎ」に応じて、無線基地局ｅＮＢ＃２に対して、移動局ＵＥのコンテキスト情報を送信する工程とを有することを要旨とする。
【００３７】
本実施形態の第２の特徴は、移動局ＵＥが、無線基地局ｅＮＢ＃１配下のセル＃１においてＲＬＦを検出すると、セル選択処理によって選択されたセル＃２を管理する無線基地局ｅＮＢ＃２に対する再接続手順を開始した場合に、無線基地局ｅＮＢ＃２として動作する無線基地局ｅＮＢであって、かかる再接続手順において、移動局ＵＥからの「ＲＲＣＲｅｅｓｔａｂｌｉｓｈｍｅｎｔＲｅｑｕｅｓｔ」に応じて、移動局ＵＥのコンテキスト情報を管理していない場合、無線基地局ｅＮＢ＃１に対して、移動局ＵＥのコンテキスト情報を取得するためである旨を示す「ＲＬＦ  ｉｎｄｉｃａｔｉｏｎ  ｃａｕｓｅ」を含む「Ｘ２  ＲＬＦ  ｉｎｄｉｃａｔｉｏｎ」を送信するように構成されている送信部１３を具備することを要旨とする。
【００３８】
なお、上述の移動局ＵＥ及び無線基地局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００３９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ＃１/ｅＮＢ＃２内に設けられていてもよい。また、かかる記憶媒体及びプロセッサは、ディスクリートコンポーネントとして移動局ＵＥ及び無線基地局ｅＮＢ＃１/ｅＮＢ＃２内に設けられていてもよい。
【００４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４２】
ＵＥ…移動局
ｅＮＢ＃１、ｅＮＢ＃２…無線基地局
１１…管理部
１２…受信部
１３…送信部
【図１】
2015089002.tif 000003
【図２】
2015089002.tif 000004
【図３】
2015089002.tif 000005
【図４】
2015089002.tif 000006